(57)【特許請求の範囲】
【請求項１】
上面を開放した器状の濾過ケース（Ｃ）と、その濾過ケース（Ｃ）の開放上面に着座されて該上面を着脱可能に閉じる蓋板（Ｌ）と、前記濾過ケース（Ｃ）内に収容される濾過ユニット（Ｕ）とを備え、
前記蓋板（Ｌ）の両側には、濾過ケース（Ｃ）の両側面に設けた複数の係止孔（１３）にそれぞれ係脱可能な複数のロック片（４５）が、その係脱方向に弾性変形可能に一体に吊下され、前記ロック片（４５）が、前記蓋板（Ｌ）の放射方向内方に弾性変形したとき、前記係止孔（１３）から離脱し、また、前記蓋板（Ｌ）の放射方向外方に弾性復元したとき、前記係止孔（１３）に係合するようにされており、
前記蓋板（Ｌ）の下面に支持部（４７）が設けられ、その支持部（４７）は、前記蓋板（Ｌ）が前記濾過ユニット（Ｕ）の開放上面に着座したとき、該濾過ユニット（Ｕ）の上部の被係合部（２１）に自動的に係合されるようにしたことを特徴とする、内部式濾過装置。
【請求項２】
上面を開放した器状の濾過ケース（Ｃ）と、その濾過ケース（Ｃ）の開放上面に着座されて該上面を着脱可能に閉じる蓋板（Ｌ）と、前記濾過ケース（Ｃ）内に収容される濾過ユニット（Ｕ）とを備え、
前記蓋板（Ｌ）の両側には、濾過ケース（Ｃ）の上部両側面に設けた複数の係止孔（１３′）にそれぞれ係脱可能な複数のロック片（４５′）が一体に吊下され、前記濾過ケース（Ｃ）の係止孔（１３′）を設けた部位は、その濾過ケース（Ｃ）の放射方向に弾性変形可能であり、放射方向内方に弾性変形したとき、前記係止孔（１３′）が前記ロック片（４５′）から離脱し、また、放射方向外方に弾性復元したとき、前記係止孔（１３′）が前記ロック片（４５′）に係合するようにされており、
前記蓋板（Ｌ）の下面に支持部（４７）が設けられ、その支持部（４７）は、前記蓋板（Ｌ）が前記濾過ユニット（Ｕ）の開放上面に着座したとき、該濾過ユニット（Ｕ）の上部の被係合部（２１）に自動的に係合されるようにしたことを特徴とする、内部式濾過装置。
【発明の詳細な説明】
【技術分野】
【０００１】
本発明は、金魚、熱帯魚、海水魚等の観賞魚の飼育用の水槽内に設置されて、水槽内の水を循環、濾過する内部式濾過装置の改良に関する。
【背景技術】
【０００２】
従来、水槽内で前記観賞魚を飼育、育成するための水槽内の適所に設置され、その水槽内の未浄化水を循環して濾過するようにした、内部式濾過装置は公知である（たとえば、後記特許文献１参照）。
【先行技術文献】
【特許文献】
【０００３】
【特許文献１】特開平９−３８６３７号公報
【発明の概要】
【発明が解決しようとする課題】
【０００４】
前記特許文献１に示される内部式濾過装置は、ケース主体Ｃ1 と、底蓋Ｃ2 とを着脱可能に連結して濾過ケースＣを形成し、その濾過ケースＣ内に、濾材２６を取り付けた濾材保持枠Ｆを収容して、水槽Ｖ内の未浄化水を、濾過ケースＣ内に吸い込み、濾材２６を通過させて濾過したのち、水槽内Ｖに戻すようにされている。
【０００５】
ところで、このような濾過装置は、使用しているうちに、濾材に、魚糞、残餌、枯葉などの汚物が次第に付着、堆積し、濾材が目詰まりして水の流動抵抗が増し、濾過能率の低下を招くので、濾材を定期的に、清掃、交換するなどのメンテナンスを行なう必要がある。
【０００６】
ところが、前記特許文献１に示される内部式濾過装置では、ケース主体Ｃ1 の下部を、底壁Ｃ2 の側面にラップ嵌合し、その下縁に設けた対をなす差込舌片４を、底蓋Ｃ2 の側面に設けた対をなす差込孔１６に差込係合することにより濾過ケースＣを組み付けるようにしているので、濾過ケースＣ内に収容される濾材２６の交換などのメンテナンスを行なう際に、ケース主体Ｃ1 と底蓋Ｃ2 とのラップ係合部が、汚物などの付着で「こびり付き」それらの分離による濾材２６のメンテナンス作業が厄介であり、特に水槽内での作業が困難であるという課題がある。
【０００７】
本発明はかかる実情に鑑みてなされたもので、かかる課題を解決できるようにした、新規な内部式濾過装置を提供することを目的とする。
【課題を解決するための手段】
【０００８】
前記目的達成のため、請求項１記載の発明は、上面を開放した器状の濾過ケースと、その濾過ケースの開放上面に着座されて該上面を着脱可能に閉じる蓋板と、前記濾過ケース内に収容される濾過ユニットとを備え、
前記蓋板の両側には、濾過ケースの両側面に設けた複数の係止孔にそれぞれ係脱可能な複数のロック片が、その係脱方向に弾性変形可能に一体に吊下され、前記ロック片が、前記蓋板の放射方向内方に弾性変形したとき、前記係止孔から離脱し、また、前記蓋板の放射方向外方に弾性復元したとき、前記係止孔に係合するようにされており、
前記蓋板の下面に支持部が設けられ、その支持部は、前記蓋板が前記濾過ユニットの開放上面に着座したとき、該濾過ユニットの上部の被係合部に自動的に係合されるようにしたことを特徴としている。
【０００９】
前記目的達成のため、請求項２記載の発明は、上面を開放した器状の濾過ケースと、その濾過ケースの開放上面に着座されて該上面を着脱可能に閉じる蓋板と、前記濾過ケース内に収容される濾過ユニットとを備え、
前記蓋板の両側には、濾過ケースの上部両側面に設けた複数の係止孔にそれぞれ係脱可能な複数のロック片が一体に吊下され、前記濾過ケースの係止孔を設けた部位は、その濾過ケースの放射方向に弾性変形可能であり、放射方向内方に弾性変形したとき、前記係止孔が、前記ロック片から離脱し、また、放射方向外方に弾性復元したとき、前記係止孔が、前記ロック片に係合するようにされており、
前記蓋板の下面に支持部が設けられ、その支持部は、前記蓋板が前記濾過ユニットの開放上面に着座したとき、該濾過ユニットの上部の被係合部に自動的に係合されるようにしたことを特徴としている。
【発明の効果】
【００１０】
請求項１記載の発明によれば、蓋板の両側には、濾過本体の両側面に設けた複数の係止孔に係脱可能な複数のロック片が、その係脱方向に弾性変形可能に一体に吊下され、ロック片が、前記蓋板の放射方向内方に弾性変形したとき、前記係止孔から離脱し、また前記蓋板の放射方向外方に弾性復元したとき、前記係止孔に係合するようにされているので、蓋板をワンタッチにて濾過ケースに組み付け、また濾過ケースから取り外すことができ、濾過装置の組付、分解操作を容易に行なうことができ、また、濾材の取り替えなどのメンテナンスも容易に行なうことができる。
【００１１】
また、蓋板の下面に設けられる支持部は、蓋板を濾過ユニットの上面に着座したとき、該濾過ユニットの上部の被係合部に自動的に係合されるので、蓋板と濾過ケースユニットとの連結操作が容易である。
【００１２】
請求項２記載の発明によれば、蓋板の両側には、濾過本体の上部両側面に設けた複数の係止孔に係脱可能な複数のロック片が、その係脱方向に弾性変形可能に一体に吊下され、濾過ケース本体の係止孔を設けた部位は、その濾過ケース本体の放射方向に弾性変形可能であり、放射方向内方に弾性変形したとき、前記係止孔が前記ロック片から離脱し、また放射方向外方に弾性変形したとき、前記係止孔が前記ロック片に係合するようにしているので、蓋板を濾過ユニットと共に、ワンタッチにて濾過ケースに組み付け、また濾過ケースから取り外すことができ、濾過装置の組付、分解操作を容易に行なうことができ、また、濾材の取り替えなどのメンテナンスも容易に行なうことができる。
【００１３】
また、蓋板の下面に設けられる支持部は、蓋板を濾過ユニットの上面に着座したとき、該濾過ユニットの上部の被係合部に自動的に係合されるので、蓋板と濾過ケースユニットとの連結操作が容易である。
【図面の簡単な説明】
【００１４】
【図１】内部式濾過装置の水槽内設置状態の側面図（第１の実施の形態）
【図２】図１の２−２線に沿う内部式濾過装置の拡大平面図（第１の実施の形態）
【図３】図１の３−３線に沿う内部式濾過装置拡大底面図（第１の実施の形態）
【図４】図２の４−４線に沿う内部式濾過装置の縦断面図（第１の実施の形態）
【図５】図４の５矢視仮想線囲い部分の拡大図（第１の実施の形態）
【図６】内部式濾過装置の分解斜視図（第１の実施の形態）
【図７】濾過本体から濾過ユニットを分離する過程を示す断面図（第１の実施の形態）
【図８】蓋板と濾過ユニットの分離断面図（第１の実施の形態）
【図９】図４に対応する内部式濾過装置の縦断面図（第２の実施の形態）
【図１０】図９の１０矢視仮想線囲い部分の拡大図（第２の実施の形態）
【図１１】内部式濾過装置の分解斜視図（第２の実施の形態）
【図１２】濾過本体から濾過ユニットを分離する過程を示す断面図（第２の実施の形態）
【発明を実施するための形態】
【００１５】
まず、図１〜８を参照して、本発明の第１の実施の形態について説明する。
【００１６】
図１に示すように、本発明に係る内部式濾過装置は、水槽Ｖ内の適所に設置して使用されるもので、濾過ケースＣと、その内部に収容される濾過ユニットＵと、濾過ケースＣの開口上面を着脱可能に閉じる蓋板Ｌとを備えている。
【００１７】
図１〜６に示すように、濾過ケースＣは、硬質の透明な合成樹脂材により構成されて、上面を開放した八角筒状の濾過ケース本体１を有し、その底壁３の下面には、複数の支持脚２が設けられ、この濾過ケースＣを水槽Ｖ内に設置したとき、水槽Ｖの底面との間に水の通る間隙が形成されるようにする。また、底壁３には、濾過ケース本体１内を外部に連通する複数の底面吸込口４が穿設される。
【００１８】
濾過ケース本体１の下部には、重錘兼粗な濾材として機能する大磯などの小石１５が収容される小石収容部５が形成される。  
【００１９】
また、濾過ケース本体１の底壁３の中央部には、筒状の給気部７が上向きに形成され、この給気部７に、前記底壁３の下面に放射方向に設けた給気通路８の内端が連通されている。給気通路８の外端は、エアパイプ９を介して水槽Ｖの外に配置されるエアポンプＰに連通される。また、給気部７の上面にはエアストン１１が接続されており、このエアストン１１は、濾過ケース本体１内の後述する濾過室２６内に臨んでおり、濾過室２６内にエアポンプＰからの加圧エアを、このエアストン１１を通して放散するようにされている。      
【００２０】
図６に最も明瞭に示すように、濾過ケース本体１の相対向する側面の上部には、対をなすＵ字状の凹部１２が形成されると共に、それらの凹部１２の下方に、係止孔１３が形成されている。前記凹部１２は、後述する蓋板Ｌのロック片４５が嵌合され、また係止孔１３にはロック片４５の下端の係合鉤４６が着脱可能に係止される。
【００２１】
図４，６に示すように、濾過ケース本体１内に収容される濾過ユニットＵは、濾材保持枠２０と、合成樹脂製の多孔質板により形成される密な濾材３０とより構成されている。濾材保持枠２０は、上、下保持板２１，２２間を、複数本の保持棒２３により連結して鼓状に形成されており、この濾材保持枠２０に板状の密な濾材３０が、複数本の保持棒２３と上、下保持板２１，２２の内面に突設した複数の保持突起２４とに交互に案内されて波状に屈曲されて保持される。そして、この濾過ユニットＵが濾過ケース本体１内に収容され、その下保持板２２は小石収容部５内の小石１５上に着座され、濾材３０の外側に未濾過室２５（図４参照）が、その内側に濾過室２６（図４参照）が画成される。濾材保持枠２０の下保持板２２には、複数の小孔２７が穿設され、これらの小孔２７を通して濾過室２６と、濾過ケース本体１の下部の小石収容部５とが連通される。
【００２２】
図６に明瞭に示すように、濾過ケース本体１の開口上面を閉じる蓋板Ｌは、濾過ケース本体１の開口上面よりも若干大きい八角形の盤状に形成され、その全面にわたり、複数の上部吸込口４１が開口されており、これらの上部吸込口４１は、濾過ケース本体１内の未濾過室２５に連通される。また、蓋板Ｌの中央部には、排出管４２が上方に向けて立設されており、この排出管４２の排出口４３は濾過ケース本体１内の濾過室２６を、水槽Ｖ内に連通する。
【００２３】
蓋板Ｌの下面の外周部には、濾過ケース本体１の開口上面の内周面に嵌合する嵌合部４４が形成され、また、蓋板Ｌの放射方向両側には、対をなすロック片４５が、下向きに一体に吊下されており、これらのロック片４５の下縁には係合鉤４６が一体に形成される。ロック片４５は、濾過ケース本体１の係合孔１３に対して進退できるように、蓋板Ｌの放射方向に弾性変形（図７参照）可能であり、後に述べるように、蓋板Ｌを、ワンタッチにて濾過ケース本体１に連結できるようにされている。
【００２４】
図４，５、６に示すように、蓋板Ｌの、上部吸込口４１よりも内側の下面には、少なくとも一対のフック状の支持部４７が一体に吊設されている。蓋板Ｌを、濾材保持枠２０上流側に着座すると、前記支持部４７は、濾過ユニットＵの、被係合部となる上保持板２１の外縁に自動的に弾発係合して、蓋板Ｌの下面に濾過ユニットＵを懸吊することができ、蓋板Ｌに濾過ユニットＵを吊下連結したまま、それらを、濾過ケース本体１に組み付け、あるいは、そこから取り外すことが可能になる（図７参照）。
【００２５】
つぎに、この第１の実施の形態の作用について説明する。
【００２６】
図１、４に示すように、濾過ケースＣ内に、濾過ユニットＵを収容し、濾過ケースＣの開口上面を蓋板Ｌにより被覆して構成される内部式濾過装置を水槽Ｖ内に設置する。エアパイプ９に、水槽Ｖの外に設けられるエアポンプＰを接続する。
【００２７】
エアポンプＰを駆動すると、そこからの加圧エアは、エアパイプ９、給気通路８を通り、給気部７より、エアストン１１を通って濾過ユニットＵの濾過室２６内に気泡状に噴出され、その噴出エアは気流となって濾過室２６内を上昇し、それに伴って濾過室２６内の水が吸い上げられて気流と共に排出管４２より排出口４３を通って水槽Ｖ内に吐出される。その結果、吸水力が、濾過室２６内に作用する。これにより、水槽Ｖ内の未浄化水は、図４矢印ａ，ｂに示すように、底面吸込口４→小石収容部１６→濾過室２６へと流れ（第１の流れ）て、粗な濾材としての小石１５により濾過されると共に図４矢印ｃ，ｄに示すように、上部吸込口４１→未濾過室２５→濾材３０→濾過室２６へと流れ（第２の流れ）て濾過される。そして、前記２つの濾過水の流れ（第１および第２の流れ）は、濾過室２６にて図２矢印ｅに示すように合流して排出管４２の排出口４３より水槽Ｖ内に戻される。
【００２８】
濾過装置のメンテナンスなどを行なうべく、濾過ユニットＵを濾過ケースＣより切り離す場合には、図７（Ａ）に示すように、一対のロック片４５を把持し、それを指先にて矢印ｘに示すように、内方に押圧すれば、係合鉤４６は、濾過ケース本体１の係止孔１３から離脱させることができ、図７（Ｂ）に示すように、蓋板Ｌと濾過ユニットＵを共に濾過ケースＣよりワンタッチにて切り離すことができ、濾材３０の清掃、交換などを簡単容易に行なうことができる。
【００２９】
また、蓋板Ｌに濾過ユニットＵを連結したまま、濾過ケースＣ内に収容し、一対のロック片４５の内方への押圧力を解除すれば、一対のロック片４５の係合鉤４６は、その弾発力で自動的に、濾過ケースＣの係止孔１３に係合して、ワンタッチで濾過装置を組み付けることができる。
【００３０】
つぎに、図９〜１２を参照して、本発明の第２の実施形態について説明する。
【００３１】
なお、この第２の実施形態は、蓋板Ｌと濾過ケースＣとの連結構造が、前記第１の実施形態と相違している。そして、この第１の実施形態と同じものには同じ符合が付される。
【００３２】
図９〜１１に示すように、蓋板Ｌの放射方向の両側に、対をなすロック片４５′が、下向きに一体に吊下され、これらのロック片４５′の下縁には係合鉤４６′が内向きに一体に形成されている。
【００３３】
一方、濾過ケース本体１の相対向する側面の上部には、対をなす係止孔１３′が形成されている。それらの係止孔１３′には、蓋板Ｌのロック片４５′の下端の係合鉤４６′が着脱可能に係止される。
【００３４】
しかして、この第２の実施形態では、濾過ケース本体１の上部は、その放射方向に弾性変形可能（濾過ケース本体１の上面は開放されていることによる）であり、その上部を放射方向内方に弾性変形させることにより、前記係止孔１３′を、前記ロック片４６′の係合鉤４６′との係合から離脱させることが可能である。
【００３５】
濾過装置のメンテナンスなどを行なうべく、濾過ユニットＵを濾過ケースＣより切り離す場合には、図１２（Ａ）に示すように、濾過ケース本体１を把持し、その上部を指先にて矢印ｘ′に示すように、内方に押圧すれば、係止孔１３′を係合鉤４６′から離脱させることができ、図１２（Ｂ）に示すように、蓋板Ｌと濾過ユニットＵを共に濾過ケースＣよりワンタッチにて切り離すことができ、濾材３０の清掃、交換などを簡単容易に行なうことができる。
【００３６】
また、蓋板Ｌに濾過ユニットＵを連結したまま、濾過ケースＣ内に収容し、濾過ケース本体１の内方への押圧力を解除すれば、係止孔１３′は、ロック片４５′の係合鉤４６′に、その弾発力で自動的に係合して、ワンタッチで濾過装置を組み付けることができる。
【００３７】
以上、本発明の第１、第２の実施の形態について説明したが、本発明はそれに限定されることなく、本発明の範囲内で種々の実施の形態が可能である。
【００３８】
たとえば、前記第１、第２の実施の形態では、エアポンプにより濾過室内に吸水力を発生させるようにしているが、このエアポンプに代えて水中ポンプを用いてもよい。
【符号の説明】
【００３９】
１３，１３′・・・係止孔
２１・・・・・・・被係合部（上保持板）
４５，４５′・・・ロック片
４７・・・・・・・支持部
Ｃ・・・・・・・・濾過ケース
Ｌ・・・・・・・・蓋板
Ｕ・・・・・・・・濾過ユニット
【図１】
0005745392.tif 000002
【図２】
0005745392.tif 000003
【図３】
0005745392.tif 000004
【図４】
0005745392.tif 000005
【図５】
0005745392.tif 000006
【図６】
0005745392.tif 000007
【図７】
0005745392.tif 000008
【図８】
0005745392.tif 000009
【図９】
0005745392.tif 000010
【図１０】
0005745392.tif 000011
【図１１】
0005745392.tif 000012
【図１２】
0005745392.tif 000013